(57)【要約】  再転写フィルムセット５０の巻取スプール４７は、転写フィルム４６を支持すると共に、第１の外径を有し、回転軸線の方向における幅が転写フィルム４６の幅よりも狭い、大径部４８１と、回転軸線の方向において、大径部４８１と異なる位置に配置され、第１の外径よりも小さい第２の外径を有する小径部４８５と、回転軸線の方向において、大径部４８１に対して、小径部４８５の反対側に配置され、第１の外径よりも小さい第３の外径を有する小径部４８５と、を有し、大径部４８１が支持する転写フィルム４６を巻取スプール４７に巻きとったとき、回転軸線の方向において、転写フィルム４６の幅の方向における一端部は小径部４８５と重なるとともに転写フィルム４６の幅の方向における他端部は小径部４８５と重なる。
2020250955.tif 000002
【特許請求の範囲】
【請求項１】
インクリボンから転写された画像を担持し、該画像を記録媒体に転写可能な、所定の幅を有する帯状の再転写フィルムと、
前記再転写フィルムを前記幅の方向と直交する方向へ繰り出し可能に巻き取った供給スプールと、
前記供給スプールから繰り出された前記再転写フィルムを、回転軸線を中心に回転して巻き取ることが可能な巻取スプールと、
を含む再転写フィルムセットであって、
前記巻取スプールは、
前記再転写フィルムを支持する第１の外径部であって、第１の外径を有し、前記回転軸線の方向における幅が前記再転写フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部に対して、前記第２の外径部の反対側に配置され、前記第１の外径よりも小さい第３の外径を有する第３の外径部と、
を有し、
前記第１の外径部が支持する前記再転写フィルムを前記巻取スプールに巻きとったとき、前記回転軸線の方向において、前記再転写フィルムの幅の方向における一端部は前記第２の外径部と重なるとともに前記再転写フィルムの幅の方向における他端部は前記第３の外径部と重なる、
ことを特徴とする再転写フィルムセット。
【請求項２】
前記第１の外径部は、前記回転軸線の方向において、前記第１の外径が連続していることを特徴とする請求項１に記載の再転写フィルムセット。
【請求項３】
前記第１の外径部の前記回転軸線の方向における幅は、２０ｍｍ以上４５ｍｍ以下であることを特徴とする請求項１または請求項２に記載の再転写フィルムセット。
【請求項４】
インクリボンから転写された画像を担持し、該画像を記録媒体に転写可能な、所定の幅を有する帯状の再転写フィルムと、
前記再転写フィルムを前記幅の方向と直交する方向へ繰り出し可能に巻き取った供給スプールと、
前記供給スプールから繰り出された前記再転写フィルムを、回転軸線を中心に回転して巻き取ることが可能な巻取スプールと、
を含む再転写フィルムセットであって、
前記巻取スプールは、
前記再転写フィルムを支持する第１の外径部であって、前記回転軸線の方向において複数配列された突部であって第１の外径を有する突部を備え、前記回転軸線の方向において両端に位置する前記突部の間隔が、前記再転写フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部を挟んで前記第２の外径部の反対側に配置され、前記第１の外径よりも小さい第３の外径を有する第３の外径部と、
を有し、
前記第１の外径部が支持する前記再転写フィルムを、前記巻取スプールに巻きとったとき、前記回転軸線の方向において、前記再転写フィルムの幅の方向における一端部は前記第２の外径部と重なるとともに前記再転写フィルムの幅の方向における他端部は前記第３の外径部と重なる、
ことを特徴とする再転写フィルムセット。
【請求項５】
前記突部は、前記回転軸線の方向において、２ｍｍ以上９ｍｍ以下のピッチで配列されていることを特徴とする請求項４に記載の再転写フィルムセット。
【請求項６】
前記突部の前記回転軸線の方向における幅は、１ｍｍ以上３ｍｍ以下であることを特徴とする請求項４または請求項５に記載の再転写フィルムセット。
【請求項７】
前記回転軸線の方向において、両端に位置する前記突部の間隔が、２０ｍｍ以上４５ｍｍ以下であることを特徴とする請求項４乃至請求項６のいずれか１項に記載の再転写フィルムセット。
【請求項８】
前記第１の外径は、２０ｍｍ以上４０ｍｍ以下であることを特徴とする請求項１乃至７のいずれか１項に記載の再転写フィルムセット。
【請求項９】
第２の外径部及び前記第３の外径部は、溝状の凹部であることを特徴とする請求項１乃至請求項８のいずれか１項に記載の再転写フィルムセット。
【請求項１０】
前記第１の外径部の前記回転軸線方向の両端部は、角部が面取りされていることを特徴とする請求項１乃至請求項９のいずれか１項に記載の再転写フィルムセット。
【請求項１１】
前記第１の外径部の前記回転軸線方向の両端部は、角部が曲面であることを特徴とする請求項１乃至請求項９のいずれか１項に記載の再転写フィルムセット。
【請求項１２】
前記回転軸線方向において、前記第１の外径部と前記第２の外径部、及び、前記第１の外径部と前記第３の外径部は、隅部が曲面で接続されることを特徴とする請求項１乃至請求項１１のいずれか１項に記載の再転写フィルムセット。
【請求項１３】
前記回転軸線方向において、前記第１の外径部と前記第２の外径部、及び、前記第１の外径部と前記第３の外径部は、隅部がテーパ形状で接続されることを特徴とする請求項１乃至請求項１１のいずれか１項に記載の再転写フィルムセット。
【請求項１４】
前記第１の外径と前記第２の外径の差、および、前記第１の外径と前記第３の外径の差は、１ｍｍ以上１０ｍｍ以下であることを特徴とする請求項１乃至請求項１３のいずれか１項に記載の再転写フィルムセット。
【請求項１５】
前記巻取スプールは、前記回転軸線方向において、前記第２の外径部の外側と、前記第３の外径部の外側と、にフランジを有することを特徴とする請求項１乃至請求項１４のいずれか１項に記載の再転写フィルムセット。
【請求項１６】
前記供給スプールと前記巻取スプールとは、形状が異なることを特徴とする請求項１乃至請求項１５のいずれか１項に記載の再転写フィルムセット。
【請求項１７】
前記供給スプールは、２つのフランジの間を同一の径の軸で接続した形状であることを特徴とする請求項１６に記載の再転写フィルムセット。
【請求項１８】
請求項１乃至１７のいずれか１項に記載の再転写フィルムセットと、
インクリボンと、
前記再転写フィルムセットから供給される前記再転写フィルムに前記インクリボンからインクを転写して、前記再転写フィルムに画像を形成するインク転写手段と、
前記再転写フィルムに形成された画像を記録媒体に転写する画像転写手段と、
を有し、
前記巻取スプールは、前記画像転写手段により記録媒体に画像を転写した後の前記再転写フィルムを巻き取る、
ことを特徴とする画像形成装置。
【請求項１９】
前記インクリボンのインクは、顔料インクであることを特徴とする請求項１８に記載の画像形成装置。
【請求項２０】
前記再転写フィルムの幅は、画像を転写する前記記録媒体の対応する方向の幅よりも長いことを特徴とする請求項１８または請求項１９に記載の画像形成装置。
【請求項２１】
前記第１の外径部の前記回転軸線方向の幅と、前記記録媒体の前記対応する方向の幅と、の差は、４．５ｍｍ以上であることを特徴とする請求項２０に記載の画像形成装置。
【請求項２２】
前記巻取スプールにおいて、巻き取られた前記再転写フィルムの前記第２の外径部における外径、及び、巻き取られた前記再転写フィルムの前記第３の外径部における外径は、巻き取られた前記再転写フィルムの前記第１の外径部における外径よりも小さいことを特徴とする請求項１８乃至請求項２１のいずれか１項に記載の画像形成装置。
【請求項２３】
前記巻取スプールにおいて、巻き取られた前記再転写フィルムは、前記第２の外径部及び前記第３の外径部と接触しないことを特徴とする請求項１８乃至請求項２２のいずれか１項に記載の画像形成装置。
【請求項２４】
回転軸線を中心に回転しながら所定の幅を有する帯状のフィルムを巻き取る巻取スプールであって、
前記フィルムを支持する第１の外径部であって、第１の外径を有し、前記回転軸線の方向における幅が前記フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部に対して、前記第２の外径部の反対側に配置され、前記第１の外径よりも小さい第３の外径を有する第３の外径部と、
を有し、
前記第１の外径部が支持する前記フィルムを、前記巻取スプールに巻きとったとき、前記回転軸線の方向において、前記フィルムの幅の方向における一端部は前記第２の外径部と重なるとともに前記フィルムの幅の方向における他端部は前記第３の外径部と重なる、
ことを特徴とする巻取りスプール。
【請求項２５】
回転軸線を中心に回転しながら所定の幅を有する帯状のフィルムを巻き取る巻取スプールであって、
前記フィルムを支持する第１の外径部であって、前記回転軸線の方向において複数配列された突部であって第１の外径を有する突部を備え、前記回転軸線の方向において両端に位置する前記突部の間隔が、前記フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部を挟んで前記第２の外径部の反対側に配置され、前記第１の外径よりも小さい第３の外径を有する第３の外径部と、
を有し、
前記第１の外径部が支持する前記フィルムを、前記巻取スプールに巻きとったとき、前記回転軸線の方向において、前記フィルムの幅の方向における一端部は前記第２の外径部と重なるとともに前記フィルムの幅の方向における他端部は前記第３の外径部と重なる、
ことを特徴とする巻取りスプール。
【発明の詳細な説明】
【発明の利用分野】
【０００１】
本発明は、記録媒体に画像を転写する再転写フィルム等の媒体を回転しながら巻き取る巻取スプール、この巻取スプールを備えた再転写フィルムセット及びこの再転写フィルムセットを備えた画像形成装置に関する。
【従来技術の説明】
【０００２】
従来、カード又はシート等の記録媒体に画像を形成する画像形成装置が広く知られている。このような画像形成装置は、複数の加熱素子が配設されたサーマルヘッドと、サーマルヘッドに対向配置されたプラテンローラ等のプラテンと、を有する画像形成部を備えている。
【０００３】
また、このような画像形成装置では、複数色の各画像を重ねてカラー画像を生成するカラー印刷が行われる場合が多い。カラー印刷では、複数色のインクパネル及び必要に応じてＢｋ（ブラック）のインクパネルを、搬送方向に沿って順次に繰り返し設けたインクリボンが用いられる。ここで、複数色は、例えば、Ｙ（イエロー）、Ｍ（マゼンタ）及びＣ（シアン）である。なお、Ｂｋインクは、例えば、輪郭をはっきりさせる場合やロゴ又は文字等のモノクロ画像を形成する場合に用いられる。
【０００４】
また、このような画像形成装置としては、インクリボンを用いて再転写フィルム等の転写媒体に画像を形成し、次いで転写媒体に形成された画像を記録媒体に転写する間接印刷方式（再転写方式）を用いるものが知られている。間接印刷方式の画像形成装置は、転写媒体の画像形成面の反対面側をプラテンで支持しつつ、転写媒体とインクリボンとを同速で搬送して、インクリボンに圧接しているサーマルヘッドの加熱素子を選択的に作動させることにより転写媒体に画像を形成する。
【０００５】
間接印刷方式の画像形成装置でカラー印刷を行う場合には、入力された複数色毎の印刷データ又は入力された複数色毎の画像データを変換した印刷データに従って、転写媒体に複数色毎の画像を重ねて印刷する。
【０００６】
また、間接印刷方式の画像形成装置では、記録媒体としてのカードの端部まで印刷する所謂縁無し印刷を行う場合に、画像の欠けを防止するために、転写媒体に対してカードのサイズよりも一回り大きい画像を形成している。これにより、転写媒体とカードとの位置ズレによるカード端部の画像の欠損を防ぐことができる。
【０００７】
ここで、転写媒体に対してカードのサイズと同じサイズの画像を形成する場合には、転写媒体に転写されたインクはカードに再転写されて転写媒体に残ることはない。しかしながら、転写媒体に対してカードのサイズよりも一回り大きい画像を形成する場合には、カードへ再転写した後の転写媒体上に、カードのサイズよりも大きく作像した部分のインクが残っている。この際に、印刷データによっては、カードの搬送方向の一端部のみに縁無し印刷領域が発生し、カードの搬送方向の他端部には縁無し印刷領域が発生しない場合が有る。このような場合には、転写媒体上の一端部側に対応する縁無し印刷領域のみにインクが残る。
【０００８】
使用済みの再転写フィルムは、巻取スプールに巻き取られていくが、カードの搬送方向の一端部等の特定部位にインクが残る状態の印刷データが連続する場合に巻取スプールに巻き取られ続けると、再転写フィルム以外の残っているインクも積層されていく。これによって、巻き取られた再転写フィルムの回転軸方向の外径に差異を生じるようになる。そして、再転写フィルムは、外径の大きい側に移動しながら巻き取られていくため、外径の大きい側に引っ張られてフィルム寄りと呼ばれる現象を生じる。このような現象を生じた再転写フィルムは、巻取スプールと供給スプールとの間にシワを生じて画像欠け等の原因となり、印刷品位の低下を招く。
【０００９】
これに対して、特開２０１５−０８６０７５号公報は、フィルム位置を検知する手段と、この検知結果に基づいてフィルムを中心位置に戻す手段と、を設けることにより、フィルム寄りを修正する構成を開示している。
【００１０】
しかしながら、特開２０１５−０８６０７５号公報においては、フィルムを搬送するローラ軸を所定角度だけ旋回可能な構成にすると共に、ローラ軸を旋回させるアクチュエータ、フィルム位置を検知する手段、及びアクチュエータの動作を制御する手段等が必要となる。これにより、特開２０１５−０８６０７５号公報においては、コストが増大すると共に装置が大型化するという課題を有する。
【発明の概要】
【００１１】
本発明の目的は、再転写フィルム上の残インクに起因するフィルムの寄りを、簡易な構成でコストを増大させることなく防ぐことができる巻取スプール、再転写フィルムセット及び画像形成装置を提供することである。
【００１２】
前記目的を達成するための本発明に係る再転写フィルムセットの代表的な構成は、インクリボンから転写された画像を担持し、該画像を記録媒体に転写可能な、所定の幅を有する帯状の再転写フィルムと、前記再転写フィルムを前記幅の方向と直交する方向へ繰り出し可能に巻き取った供給スプールと、前記供給スプールから繰り出された前記再転写フィルムを、回転軸線を中心に回転して巻き取ることが可能な巻取スプールと、を含む再転写フィルムセットであって、前記巻取スプールは、前記再転写フィルムを支持する第１の外径部であって、第１の外径を有し、前記回転軸線の方向における幅が前記再転写フィルムの幅よりも狭い、第１の外径部と、前記回転軸線の方向において、前記第１の外径部と異なる位置に配置され、前記第１の外径よりも小さい第２の外径を有する第２の外径部と、前記回転軸線の方向において、前記第１の外径部に対して、前記第２の外径部の反対側に配置され、前記第１の外径よりも小さい第３の外径を有する第３の外径部と、を有し、前記第１の外径部が支持する前記再転写フィルムを前記巻取スプールに巻きとったとき、前記回転軸線の方向において、前記再転写フィルムの幅の方向における一端部は前記第２の外径部と重なるとともに前記再転写フィルムの幅の方向における他端部は前記第３の外径部と重なる、ことを特徴とする
【００１３】
本発明によれば、再転写フィルム上の残インクに起因するフィルムの寄りを、簡易な構成でコストを増大させることなく防ぐことができる。
【００１４】
本発明の更なる特徴は、添付した図面とともに説明される、以下の代表的な実施の形態の記述によって明らかとなる。
【図面の簡単な説明】
【００１５】
【図１】本発明の実施の形態１に係る画像形成システムの構成を示す図である。
【００１６】
【図２】本発明の実施の形態１に係る画像形成システムの構成を示すブロック図である。
【００１７】
【図３】本発明の実施の形態１に係る画像形成装置の構成を示す模式図である。
【００１８】
【図４】本発明の実施の形態１に係る再転写フィルムセットの平面図である。
【００１９】
【図５】本発明の実施の形態１に係る巻取スプールの斜視図である。
【００２０】
【図６】本発明の実施の形態１に係る巻取スプールの正面図である。
【００２１】
【図７】図６のＡ−Ａ断面図に巻き取ったフィルムを追加した説明図である。
【００２２】
【図８】図６のＢ−Ｂ断面図に巻き取ったフィルムを追加した説明図である。
【００２３】
【図９】図７の一部分の拡大図で、転写フィルムが1巻きされた状態を示すイメージ図である。
【００２４】
【図１０】図７の一部分の拡大図で、転写フィルムが巻き取られた状態を示すイメージ図である。
【００２５】
【図１１】本発明の実施の形態２に係る巻取スプールの正面図である。
【００２６】
【図１２】図１１のＣ−Ｃ断面図である。
【００２７】
【図１３】本発明の実施の形態３に係る巻取スプールの正面図である。
【実施形態の詳細な説明】
【００２８】
以下、本発明の実施の形態について、図面を参照して詳細に説明する。
【００２９】
（実施の形態１）
＜画像形成システムの構成＞
本発明の実施の形態１に係る画像形成システム２００の構成について、図１及び図２を参照しながら、詳細に説明する。
【００３０】
画像形成システム２００は、画像形成装置１と、ＰＣ（パーソナルコンピュータ）２０１と、モニタ２０２と、入力装置としてのキーボード２０３と、画像入力装置２０４等を有している。
【００３１】
画像形成装置１は、接続されているＰＣ２０１から印刷データ、画像データ、又は磁気的若しくは電気的な記録データ等を受信する。画像形成装置１は、受信したこれらのデータに基づいて、記録媒体としてのカードに対して、文字又は画像を形成（印刷記録）し又は磁気的若しくは電気的な情報記録を行う。なお、画像形成装置１の構成の詳細については後述する。
【００３２】
ＰＣ２０１は、画像形成装置１に対して、印刷データ、画像データ、又は磁気的若しくは電気的な記録データ等を送信して、記録動作等の実行を指示する。ＰＣ２０１は、パーソナルコンピュータに限定されず、ホストコンピュータでも良い。
【００３３】
モニタ２０２は、ＰＣ２０１に接続されており、ＰＣ２０１によって生成されたデータ等に基づいて表示を行なう。モニタ２０２は、例えば液晶ディスプレイ等である。
【００３４】
キーボード２０３は、ＰＣ２０１に接続されており、ＰＣ２０１に対して命令又はデータを入力する。
【００３５】
画像入力装置２０４は、ＰＣ２０１に接続されており、取得した画像の画像データをＰＣ２０１に出力する。画像入力装置２０４は、撮像した画像を画像データとして出力するデジタルカメラ、又は原稿等から読み取った画像を画像データとして出力するスキャナ等であり、ここではデジタルカメラを例示する。
【００３６】
＜画像形成装置の構成＞
本発明の実施の形態１に係る画像形成装置１の構成について、図２及び図３を参照しながら、詳細に説明する。
【００３７】
画像形成装置１は、ハウジング２を有しており、ハウジング２内に情報記録部Ａと、印刷部Ｂと、媒体供給部Ｃと、収容部Ｄと、回動ユニットＦと、オペパネ部５と、制御部１００と、電源部１２０と、を備えている。
【００３８】
情報記録部Ａは、媒体供給部Ｃから供給される記録媒体としてのカードＣａに対して、磁気的又は電気的な情報記録を行う。情報記録部Ａは、磁気的又は電気的な情報記録を行ったカードＣａを印刷部Ｂに向けて搬送する。
【００３９】
印刷部Ｂは、再転写フィルムとしての転写フィルム４６を搬送するフィルム状媒体搬送機構を有している。印刷部Ｂには、媒体供給部Ｃから供給されるカードＣａを移送する搬入経路Ｐ１と、収容部Ｄに印刷後のカードＣａを移送する搬出経路Ｐ２と、が設けられている。印刷部Ｂは、インク転写手段としての画像形成部Ｂ１と、画像転写手段としての転写部Ｂ２と、を備えている。
【００４０】
画像形成部Ｂ１は、フィルム状媒体搬送機構により搬送される転写フィルム４６に画像を形成する。転写部Ｂ２は、情報記録部Ａから搬入経路Ｐ１上を搬送されてくるカードＣａの表面、又は表面と裏面とに、転写フィルム４６に形成された顔写真又は文字データ等の画像を再転写し、画像を再転写したカードＣａを収容部Ｄに向けて搬送する。
【００４１】
媒体供給部Ｃのカセット１８は、複数枚のカードＣａを立位姿勢で整列して収納している。このカセット１８は、ピックアップローラ１９によって最前列のカードＣａから順次繰り出して、繰り出したカードＣａを分離開口７から情報記録部Ａに供給する。
【００４２】
収容部Ｄは、印刷部Ｂから搬送されてくるカードＣａを収容スタッカ６０に収容する。収容スタッカ６０は、昇降機構６１によって図３において上下方向に移動可能に構成されている。
【００４３】
回動ユニットＦは、カードＣａを挟持して旋回動可能なように構成されており、搬入経路Ｐ１に配置されている。回動ユニットＦは、媒体供給部Ｃから供給されるカードＣａを印刷部Ｂ又は情報記録部Ａに向けて搬送し、印刷部Ｂから搬送されてくるカードＣａの表裏を反転させて再び印刷部Ｂに向けて搬送する。回動ユニットＦは、情報記録部Ａによって情報を記録されたカードＣａを印刷部Ｂに向けて搬送する。
【００４４】
オペパネ部５は、操作表示部であり、ユーザの入力等の操作によって記録動作等を指示する。
【００４５】
制御部１００は、画像形成装置１の全体の動作を制御する。
【００４６】
電源部１２０は、商用交流電圧を直流電圧に変換して、制御部１００、サーマルヘッド４０、オペパネ部５及び情報記録部Ａ等に供給する。
【００４７】
＜情報記録部の構成＞
本発明の実施の形態１に係る画像形成装置１の情報記録部Ａの構成について、図２及び図３を参照しながら、詳細に説明する。
【００４８】
情報記録部Ａは、非接触式ＩＣ記録部２３と、磁気記録部２４と、接触式ＩＣ記録部２７と、を備えている。
【００４９】
非接触式ＩＣ記録部２３は、回動ユニットＦの外周において回動ユニットＦに対向して設けられている。非接触式ＩＣ記録部２３は、回動ユニットＦから搬送されてくるカードＣａに対して非接触で電気的な情報記録（書込み）を行い、電気的な情報記録を行ったカードＣａを回動ユニットＦに向けて搬送する。
【００５０】
磁気記録部２４は、回動ユニットＦの外周において回動ユニットＦに対向して設けられている。磁気記録部２４は、回動ユニットＦから搬送されてくるカードＣａに磁気的な情報記録（書込み）を行い、磁気的な情報記録を行ったカードＣａを回動ユニットＦに向けて搬送する。
【００５１】
接触式ＩＣ記録部２７は、回動ユニットＦの外周において回動ユニットＦに対向して設けられている。接触式ＩＣ記録部２７は、回動ユニットＦから搬送されてくるカードＣａに対して接触しながら電気的な情報記録（書込み）を行い、電気的な情報記録を行ったカードＣａを回動ユニットＦに向けて搬送する。
【００５２】
＜印刷部の構成＞
本発明の実施の形態１に係る画像形成装置１の印刷部Ｂの構成について、図２から図４を参照しながら、詳細に説明する。
【００５３】
印刷部Ｂは、画像形成部Ｂ１と転写部Ｂ２とか構成されており、搬送ローラ２９と、搬送ローラ３０と、転写プラテンローラ３１と、転写ローラ３３と、デカール機構３４と、搬送ローラ３５と、搬送ローラ対３８と、を備えている。また、画像形成部Ｂ１は、サーマルヘッド４０と、インクリボンカセット４２と、画像形成プラテンローラ４５と、移送ローラ４９と、再転写フィルムセット（フィルムセット）５０と、センサＳｅ１と、センサＳｅ２と、を備えている。
【００５４】
搬送ローラ２９は、搬入経路Ｐ１に配置され、図示しない搬送モータに連結されて、この搬送モータが駆動することにより正転方向又は逆転方向に回転可能になっている。搬送ローラ２９は、回動ユニットＦから搬送されてくるカードＣａを搬送ローラ３０に向けて搬送し、又は搬送ローラ３０から搬送されてくるカードＣａを回動ユニットＦに搬送する。
【００５５】
搬送ローラ３０は、搬入経路Ｐ１に配置され、図示しない搬送モータに連結されて、この搬送モータが駆動することにより正転方向又は逆転方向に回転可能になっている。搬送ローラ３０は、搬送ローラ２９から搬送されてくるカードＣａを転写ローラ３３と転写プラテンローラ３１との間に向けて搬送し、又は転写ローラ３３と転写プラテンローラ３１との間から搬送されてくるカードＣａを搬送ローラ２９に向けて搬送する。
【００５６】
転写プラテンローラ３１は、転写フィルム４６を介して転写ローラ３３に対向して配置されている。
【００５７】
転写ローラ３３は、転写フィルム４６を介して転写プラテンローラ３１に対向して配置されている。転写ローラ３３は、ヒートローラで構成されており、転写プラテンローラ３１に対して圧接し、圧接不要なときは転写プラテンローラ３１から離間する。
【００５８】
デカール機構３４は、搬送ローラ３５と搬送ローラ対３８との間に設けられている。デカール機構３４は、カム３６と、カム３６に対して、図３において上下方向に移動可能な昇降機構としてのデカールプレート３７と、によって構成されている。デカール機構３４は、搬送ローラ３５及び搬送ローラ対３８に保持されたカードＣａの中央部を押圧することによって、転写ローラ３３の加熱により生じたカードＣａのカールを矯正する。
【００５９】
デカールプレート３７は、搬出経路Ｐ２に配置されている。カム３６は、図示しない搬送モータに連結されており、この搬送モータが駆動することにより回転して、転写プラテンローラ３１と転写ローラ３３との間を通過してきたカードＣａを、ニップして搬送方向の下流側へ搬送する。
【００６０】
搬送ローラ対３８は、搬出経路Ｐ２に配置されている。搬送ローラ対３８は、図示しない搬送モータに連結されており、この搬送モータが駆動することにより回転して、デカール機構３４を通過したカードＣａをニップして、カードＣａの搬送方向（以下、単に「搬送方向」と記載する）の下流側の収容部Ｄへ搬送する。
【００６１】
サーマルヘッド４０は、インクリボン４１及び転写フィルム４６を介して画像形成プラテンローラ４５に対向して配置されている。サーマルヘッド４０は、インクリボン４１を加熱して、インクリボン４１のインクによって転写フィルム４６に画像を形成する。
【００６２】
インクリボンカセット４２は、昇華型インクリボン等の熱転写インクリボンであるインクリボン４１を、供給スプール４３と巻取スプール４４との間に巻装している。インクリボンカセット４２は、画像形成装置１のハウジングに着脱可能に装着されている。
【００６３】
供給スプール４３は、モータＭｒ３が駆動することによって回転してインクリボン４１を繰り出す。
【００６４】
巻取スプール４４は、モータＭｒ１が駆動することによって回転してインクリボン４１を巻き取る。
【００６５】
画像形成プラテンローラ４５は、転写フィルム４６及びインクリボン４１を介してサーマルヘッド４０に対向して配置されている。画像形成プラテンローラ４５は、再転写フィルムセット５０に装填されている転写フィルム４６を走行させる。
【００６６】
移送ローラ４９は、図示しない駆動モータに連結されており、この駆動モータが駆動することにより回転する。移送ローラ４９は、回転することにより、外周面に配置されているピンチローラ３２ａ及びピンチローラ３２ｂと共に、サーマルヘッド４０及び画像形成プラテンローラ４５で画像を形成された転写フィルム４６を、転写プラテンローラ３１と転写ローラ３３との間に向けて移送する。ここで、サーマルヘッド４０の加熱領域は、転写フィルム４６内に画像を形成するので、転写フィルム４６の幅より狭い。
【００６７】
フィルムセットとしての再転写フィルムセット５０は、ハウジング２に着脱可能に装着されている。再転写フィルムセット５０は、図４に示すように、転写フィルム４６と、供給スプール４８と、巻取スプール４７と、を備え、供給スプール４８と巻取スプール４７とに転写フィルム４６を巻回している。
【００６８】
供給スプール４８は、モータＭｒ２が駆動することによって回転して、転写部Ｂ２を通過して画像形成部Ｂ１のサーマルヘッド４０と画像形成プラテンローラ４５との間に転写フィルム４６を供給する。
【００６９】
巻取スプール４７は、モータＭｒ４が駆動することによって回転して、転写プラテンローラ３１と転写ローラ３３とによってカードＣａに画像を転写した後の転写フィルム４６を巻き取る。なお、巻取スプール４７の構成の詳細については後述する。
【００７０】
供給スプール４８と巻取スプール４７とは、画像形成部Ｂ１において、転写フィルム４６にカラー画像を形成する際に、転写フィルム４６を複数色毎に往復させて、転写フィルム４６に複数色毎の画像を重ねてカラー画像を形成する。
【００７１】
センサＳｅ１は、転写フィルム４６の位置マークを検出し、検出結果を制御部１００に出力する。
【００７２】
センサＳｅ２は、インクリボン４１の位置マークを検出し、検出結果を制御部１００に出力する。
【００７３】
＜回動ユニットの構成＞
本発明の実施の形態１に係る画像形成装置１の回動ユニットＦの構成について、図３を参照しながら、詳細に説明する。
【００７４】
回動ユニットＦは、ローラ対２０及び２１と、搬入ローラ対２２と、回動フレーム８０と、を備えている。
【００７５】
ローラ対２０及び２１は、回動フレーム８０に回転自在に軸支持されている。ローラ対２０及び２１は、カードＣａを搬送するための媒体搬送路６５を形成している。ローラ対２０及び２１は、搬入ローラ対２２によって搬送されるカードＣａを、印刷部Ｂ又は非接触式ＩＣ記録部２３、磁気記録部２４及び接触式ＩＣ記録部２７のいずれかに向けて搬送する。ローラ対２０及び２１は、非接触式ＩＣ記録部２３、磁気記録部２４及び接触式ＩＣ記録部２７のいずれかから搬送されてくるカードＣａを印刷部Ｂに向けて搬送する。
【００７６】
搬入ローラ対２２は、媒体供給部Ｃのカセット１８の分離開口７から供給されるカードＣａを回動フレーム８０に向けて搬送する。
【００７７】
回動フレーム８０は、ハウジング２に回動可能に軸受け支持されている。
【００７８】
＜制御部の構成＞
本発明の実施の形態１に係る画像形成装置１の制御部１００の構成について、図２を参照しながら、詳細に説明する。
【００７９】
制御部１００は、バッファメモリ１０１と、マイクロコンピュータ（以下、「マイコン」と記載する）１０２と、センサ制御部１０３と、アクチュエータ制御部１０４と、サーマルヘッド制御部１０５と、操作表示制御部１０６と、を備えている。
【００８０】
バッファメモリ１０１には、ＰＣ２０１から受信した、カードＣａに印刷すべき印刷データが一時的に格納される。バッファメモリ１０１には、ＰＣ２０１から受信した、カードＣａの磁気ストライプに記録するための記録データ、又はＩＣに磁気的若しくは電気的に記録するための記録データ等が一時的に格納される。
【００８１】
マイコン１０２は、画像形成装置１の全体の制御処理を行う。マイコン１０２は、何れも図示を省略する中央演算処理装置として高速クロックで作動するＣＰＵ、制御プログラム等が記憶されたＲＯＭ、ＣＰＵのワークエリアとして働くＲＡＭ、及びこれらを接続する内部バスを備えている。
【００８２】
センサ制御部１０３は、マイコン１０２の制御によって動作してセンサＳｅ１及びセンサＳｅ２等を制御し、センサＳｅ１又はセンサＳｅ２から入力される信号をマイコン１０２に出力する。
【００８３】
アクチュエータ制御部１０４は、マイコン１０２の制御によって動作する。アクチュエータ制御部１０４は、モータＭｒ１、モータＭｒ２、モータＭｒ３及びモータＭｒ４に駆動パルスや駆動電力を供給して、モータＭｒ１、モータＭｒ２、モータＭｒ３及びモータＭｒ４を駆動させるモータドライバ等を備えている。
【００８４】
サーマルヘッド制御部１０５は、サーマルヘッド４０に備えられている図示しない発熱素子からインクリボン４１及び転写フィルム４６に供給される熱エネルギーを制御する。
【００８５】
操作表示制御部１０６は、オペパネ部５を制御する。
【００８６】
＜巻取スプールの構成＞
本発明の実施の形態１に係る画像形成装置１の巻取スプール４７の構成について、図４から図１０を参照しながら、詳細に説明する。
【００８７】
図４は、フィルムセットの平面図である。図５は、巻取スプールの斜視図である。図６は、巻取スプールの正面図である。図７は、図６のＡ−Ａ断面図に巻き取ったフィルムを追加した説明図である。図８は、図６のＢ−Ｂ断面図に巻き取ったフィルムを追加した説明図である。図９は、図７の一部分の拡大図で、転写フィルムが1巻きされた状態を示すイメージ図である。図１０は、図７の一部分の拡大図で、転写フィルムが巻き取られた状態を示すイメージ図である。
【００８８】
ここで、記録媒体としてのカードＣａは、ＩＤカード又はクレジットカード等のカードＣａであって、一般に国際規格であるＩＳＯで規定されたＩＤ−１サイズ（８５．６ｍｍ×５３．９８ｍｍ）である。また、このようなカードＣａ用の画像形成装置１は、ＩＤ−１サイズのカードＣａのみを使用する専用装置として製造されていることが多い。
【００８９】
本実施の形態の転写フィルム４６は、材質がＰＥＴ（ポリエチレンテレフタレート）、フィルム厚さが０．０２ｍｍ、及び印刷可能枚数（転写可能枚数）が５００枚であるので、供給されてから巻き取る枚数は５００枚である。
【００９０】
本発明の実施の形態では、転写後の残インクにより発生するフィルム寄りを防止するために、残インクが付着している残インク付着領域の転写フィルム４６を巻取スプール４７の下方から支持しない。これにより、残インク付着領域の転写フィルム４６を撓ませ、残インク付着領域のフィルム巻取り外径を全体の転写フィルム４６の外径以下とすることで、フィルム寄りの発生を防止する。ここで、転写フィルム４６の表面上の残インク付着領域は、縁無し印字用に形成されたインクが付着する領域であるので、転写するカードＣａの端部に対応する位置である。
【００９１】
図４に示すように、巻取スプール４７には、供給スプール４８から延びた未使用状態の転写フィルム４６の先端部が貼り付けられており、供給スプール４８が供給する転写フィルム４６を巻取スプール４７が回転しながら巻き取る。具体的には、図５に示すように、巻取スプール４７は、大径部４８１と、小径部４８５と、嵌合部４８２と、大フランジ部４８３と、小フランジ部４８４と、を備えている。フィルム巻取り領域（図６参照）には、残インク付着領域の転写フィルム４６を撓ませるために、転写フィルム４６を巻き取る大径部４８１と、転写フィルム４６を撓ませる小径部４８５と、が配置されている。なお、供給スプール４８のフィルムが巻かれている領域の形状は、巻取スプール４７と異なり、全域ストレートであり外径の変化はない。
【００９２】
巻取スプール４７に対する転写フィルム４６とカードＣａの位置関係を記載する図６に示すように、大径部４８１は、巻取部の回転軸Ｐと平行な軸方向（図６において左右方向）の転写フィルム４６が巻き取られるフィルム巻取り領域の中央部に設けられており、転写フィルム４６は大径部４８１を中心にして巻き取られる。
【００９３】
図６に示すように、大径部４８１の外径は、大径部４８１の軸方向の両端に位置する小径部４８５よりも大径である。大径部４８１の軸方向の長さＬ１は、カードＣａの搬送方向に直交する幅方向の長さＬ２よりも短い（Ｌ１＜Ｌ２）。本実施形態の転写フィルム４６の幅方向の長さＬ３は６０ｍｍであり、カードＣａの幅方向の長さＬ２は５３．９８ｍｍである。本実施形態の大径部４８１の軸方向の長さＬ１は、Ｌ２（５３．９８ｍｍ）よりも短い３０ｍｍである。カードＣａの幅方向の長さＬ２は、転写フィルム４６の幅方向の長さＬ３より小さく、かつ転写フィルム４６に画像を形成するインクが付着するインクリボン４１の記録幅より小さい。なお、本発明においては、Ｌ１＜Ｌ２＜Ｌ３の関係を満足すれば良いので、上記の寸法に限定されるものではない。
【００９４】
図７及び図８に示すように、大径部４８１の軸方向の長さＬ１は、転写フィルム４６の幅方向の長さＬ３より小さいので、撓んだ転写フィルム４６の幅方向の端部が、小径部４８５に接触しない突出量で小径部４８５側に突出している。大径部４８１は、転写フィルム４６の残インク付着領域であるカードＣａの端部に相当する位置に残インク９００が付着した際に、転写フィルム４６の幅方向の端部を撓ませる巻取部における軸方向の位置において突出している。
【００９５】
本実施形態においては、残インクが付着している残インク付着領域の転写フィルム４６の巻取り外径を、その領域以外の転写フィルム４６の外径以下として、転写フィルム４６の端部を撓ませる。このために必要な転写フィルム４６の撓み量は、大径部４８１の軸方向の端部から撓む前の転写フィルム４６のカードＣａ端部が接触する位置までの距離Ｌ４（図９参照）の長さによって決定される。
【００９６】
本実施形態の距離Ｌ４は、１２ｍｍであるが、転写フィルム４６の材質や厚さによって変化するもので、４．５ｍｍ以上が好ましい。
【００９７】
本実施形態の長さＬ１は、３０ｍｍであるが、４．５ｍｍ以上が好ましい。Ｌ４を考慮した大径部４８１の長さＬ１の範囲は、２０ｍｍ〜４５ｍｍが好ましい。ここで、大径部４８１の長さＬ１が２０ｍｍ以上であることが好ましい理由について説明する。巻取スプール４７が転写フィルム４６を巻取る巻取り方向に関して、転写フィルム４６の先端部は、巻取スプール４７の大径部４８１に接着剤により接着されている。これにより、巻取スプール４７は転写フィルム４６を巻取ることができる。ここで、大径部４８１の長さＬ１が２０ｍｍより小さい場合、巻取スプール４７における、転写フィルム４６の先端部との接着領域が、十分に確保できないことにより、巻取スプール４７が転写フィルム４６を巻取る際に、転写フィルム４６が巻取スプール４７から剥がれてしまうおそれがある。
【００９８】
したがって、大径部４８１の長さＬ１は２０ｍｍ以上であることが好ましい。また、長さＬ１が４５ｍｍを超える場合、転写フィルム４６幅Ｌ３が約５４ｍｍであることから、Ｌ４が４．５ｍｍ未満となり、転写フィルム４６における幅方向端部であり残インクが付着した残インク付着領域が、回転軸Ｐ側に撓み難くなるため、長さＬ１は４５ｍｍ以下であることが好ましい。
【００９９】
転写フィルム４６の幅は、カードＣａの幅に対して、３ｍｍ〜２０ｍｍ大きいことが好ましい。なぜならば、転写フィルム４６の幅Ｌ３は、縁無し印字のためにカードＣａの幅Ｌ２より大きい。また、転写フィルム４６が搬送路に対してズレルことを考慮すると、転写フィルム４６の幅は大きいほど、転写フィルム４６の搬送に余裕を生じるが、転写フィルム４６のコストを考慮すると制限が有る。このため、転写フィルム４６の幅は、カードＣａの幅に対して、少なくとも３ｍｍ〜２０ｍｍ大きいことが好ましい。
【０１００】
小径部４８５は、軸方向において外径φＤ１の円筒形状を有している。小径部４８５は、大径部４８１よりも小径（φＤ１＜φＤ２）であり、大径部４８１と嵌合部４８２との間、及び大径部４８１と小フランジ部４８４との間に設けられている。本実施形態の外径φＤ１は、２２ｍｍであり、大径部４８１の外径φＤ２は、３０ｍｍである。ここで、外径φＤ２の範囲は２０ｍｍ〜４０ｍｍが好ましい。φＤ２は、外径が２０ｍｍより小さいと巻取りのための巻取スプール４７の回転数を上げなければならず、外径が４０ｍｍより大きいとフィルムの最大巻取り時に他部品と干渉しないようにする必要が有り、装置の大型化に繋がる。
【０１０１】
ここで、大径部４８１の外径φＤ２と小径部４８５の外径φＤ１との段差ΔＤ（ΔＤ＝（φＤ２−φＤ１）／２）を設定する条件について、図９及び図１０を用いて説明する。なお、図９は、転写フィルム４６が積層される前の状態を示している。また、図９において、破線は、撓む前の転写フィルム４６を示し、実線は、撓んだ後の転写フィルム４６を示している。図１０は、転写フィルム４６が巻き取られて積層された状態を示している。
【０１０２】
巻取スプール４７には、段差ΔＤを設けることにより、巻取部に巻かれる転写フィルム４６の幅方向の端部を支持する部材が無い。これより、残インク９００が付着した転写フィルム４６の端部（インク付着部）は、落込み量ΔＳだけ撓む（図９参照）。大径部４８１は、設定された印刷枚数（本実施の形態では５００枚）分だけ大径部４８１に巻かれた転写フィルム４６の外径Ｄ７よりも、インク積層部の外径Ｄ８が小さくなるように段差ΔＤを有して設けられている（図１０参照）。
【０１０３】
ここで、大径部４８１の外径φＤ２と小径部４８５の外径φＤ１との境目に生じる段差ΔＤは、大径部４８１の軸方向の端部から撓む前の転写フィルム４６の幅方向の端部までの距離Ｌ４（図９参照）の長さによって変化させても良い。なお、大径部４８１と小径部４８５との境目は、外径が変化している箇所であり、径が異なる箇所でもある。
【０１０４】
大径部４８１の高さと小径部４８５の高さとの差（段差ΔＤ）は、本実施の形態では４ｍｍであるが、１ｍｍ以上であることが好ましい。なぜならば、段差ΔＤが１ｍｍ以上であれば、転写フィルム４６の残インク領域を撓ませることができる。なお、撓んだ転写フィルム４６の端部が小径部４８５と接しても良いし接していなくても良い。但し、接する際は、残インク領域の転写フィルム４６の外径は、中央部の転写フィルム４６の外径と同一又は中央部の転写フィルム４６の外径以下になることが条件である。段差ΔＤが大きいほど、転写フィルム４６の撓みに余裕を生じるが、段差ΔＤが大き過ぎると段差ΔＤを成型する際に強度等の問題を生じる。例えば、大径部４８１をリブ形状にする（後述の実施の形態２のリブ）と、リブの高さが高いほど抜きテーパによりリブの幅が狭くなり、リブの強度や接着面積の減少になる。
【０１０５】
なお、転写フィルム４６と接触する大径部４８１の角部は、面取り、Ｒ付け、角でも良い。また、大径部４８１と小径部４８５が繋がる隅部はＲ、なめらかな曲面、テーパ形状でも良い。
【０１０６】
距離Ｌ４と段差ΔＤとによって転写フィルム４６の落込み量ΔＳが決まるので、本実施の形態によって得られる効果は、段差ΔＤ（本実施の形態では４ｍｍ）が落込み量ΔＳに必要な量以上であれば、段差ΔＤを大きくしてもフィルムの寄りは発生しない。
【０１０７】
ここで、大径部４８１は、外径がφＤ２の円筒形状を有しており、外形寸法は軸方向において同一なストレート形状が望ましいが、外径形状がクラウン形状または逆クラウン形状で有る場合は、巻取スプール４７が印刷による転写のために正転駆動と反転駆動されることが繰り返され、転写フィルム４６が何度も往復搬送されるため、大径部４８１のクラウン量は少ないことが望ましい。また、クラウン量は転写フィルム４６を大径部４８１に接着する際の接着力に影響するので、クラウン量は少ないことが望ましい。
【０１０８】
嵌合部４８２は、大径部４８１よりも大径であり、巻取スプール４７の軸方向の一端に設けられている。嵌合部４８２は、軸方向に沿って外方に凹凸になっている。嵌合部４８２は、モータＭｒ４の図示しない相手側嵌合部と嵌合して、モータＭｒ４の回転により巻取スプール４７を回転させる。
【０１０９】
大フランジ部４８３は、大径部４８１よりも大径であり、巻取スプール４７の軸方向の他端に設けられている。大フランジ部４８３は、ハウジング２の図示しない係合部に回転自在に係合する。
【０１１０】
小フランジ部４８４は、大フランジ部４８３よりも小径であり、小径部４８５と大フランジ部４８３との間に設けられている。
【０１１１】
ここで、薄肉である転写フィルム４６を大フランジ部４８３または小フランジ部４８４に突き当てて軸方向に移動するフィルムの寄りを規制すると、フランジに接触した転写フィルム４６が破損するおそれが有るので、フィルムを巻取る際に、転写フィルム４６がスプールの軸方向に移動しても転写フィルム４６がフランジに接触しないようにフランジは転写フィルム４６から離間している。
【０１１２】
＜巻取スプールの動作＞
本発明の実施の形態１に係る画像形成装置１の巻取スプール４７の動作について、図４から図１０を参照しながら、詳細に説明する。
【０１１３】
所謂縁無し印刷を行う場合等において、カードＣａの幅方向の一端部等の特定部位にインクが残っている状態で巻取スプール４７に巻き取られる転写フィルム４６は、転写フィルム４６上に残っている残インク９００が一緒に積層されていく。ここで、本実施の形態のインクリボン４１のインク材料は、顔料インクである。この顔料インクは、転写フィルム４６の受容層に浸透する染料インクに比べて、残インクによる転写フィルム４６の外径の増加が大きくなる。
【０１１４】
転写フィルム４６は、図７に示すように、残インク９００が積載されていく部分が小径部４８５に接触せずに、残インク９００が積層されていない部分が大径部４８１において巻き取られる。
【０１１５】
転写フィルム４６の残インク９００が積層されていく部分は、巻取スプール４７による支えがなく、図８に示すように、波打つ様な形で小径部４８５側に倒れ込む。従って、小径部４８５側に倒れ込んだ転写フィルム４６の残インク９００が積層されていく部分の外径は、それ以外の部分よりも小さくなる。
【０１１６】
転写フィルム４６を積層していった際に、転写フィルム４６の最大外径となる部分は、軸方向の中央部である大径部４８１で巻き取られる部分になる。また、転写フィルム４６の大径部４８１で巻き取られる部分は、大径部４８１の軸方向の長さＬ１がカードＣａの幅Ｌ２よりも狭いため、残インク９００の積層による影響を受けず、残インク９００の積層に起因する外径の差異を生じない。従って、フィルム端部の外径が増加することにより発生する転写フィルム４６のフィルム寄りを防ぐことができる。
【０１１７】
本実施の形態では、巻取り領域における軸方向の中央部に設けられ、軸方向の端部よりも大径であると共に軸方向の長さＬ１がカードＣａの幅方向の長さＬ２よりも短い大径部４８１を備える巻取スプール４７で転写フィルム４６を巻き取る。これにより、転写フィルム４６の受容層に浸透する染料インクに比べて、顔料インクを使用する転写フィルム４６上に残留した残インク９００に起因する転写フィルム４６の寄りを、大径部の端部に小径部を配置するという簡易な構成でコストを増大させることなく防ぐことができる。
【０１１８】
（実施の形態２）
本発明の実施の形態２に係る画像形成装置は図１から図３と同一構成であるので、その説明を省略する。また、本実施の形態に係る画像形成装置の再転写フィルムセットは巻取スプール４７に代えて巻取スプール１４８を設ける以外は図４と同一構成であるので、巻取スプール１４８以外の部分の説明を省略する。
【０１１９】
＜巻取スプールの構成＞
本発明の実施の形態２に係る画像形成装置の巻取スプール１４８の構成について、図１１及び図１２を参照しながら、詳細に説明する。
【０１２０】
なお、図１１及び図１２において、図５から図８と同一構成である部分については同一符号を付して、その説明を省略する。
【０１２１】
実施の形態２では、実施の形態１の大径部４８１の代わりに、巻取りスプールから周方向に突出する複数のリブによって巻取り部５８１を形成する。これにより、実施の形態１の巻取スプール４７が複数部品に分割して成型した後に部品を合体させて形成するのに対し、巻取り部５８１の肉厚が複数のリブにより部分的に厚くなることがないため、一部分についてスライド型を使用するのみで成型できるため、巻取スプール１４８の製造コストを低減することができる。
【０１２２】
巻取スプール１４８に対する転写フィルム４６とカードＣａの位置関係を記載する図１１に示すように、巻取スプール１４８は、嵌合部４８２と、大フランジ部４８３と、小フランジ部４８４と、小径部４８５と、巻取り部５８１と、を備えており、フィルム巻取り領域には複数のリブからなる巻取り部５８１と小径部４８５が配置される。
【０１２３】
複数のリブからなる巻取り部５８１は、巻取部の回転軸Ｐと平行な軸方向（図１１において左右方向）の転写フィルム４６が巻き取られる中央部に設けられている。巻取り部５８１は、軸方向及び軸方向を中心とする周方向に沿って複数のリブを外方に突出させて形成されている。巻取り部５８１は、軸方向において同一径φＤ４の円筒形状を有している。径φＤ４は、例えば３０ｍｍである。巻取り部５８１の複数のリブは、巻取スプール１４８から周方向の外方に突出して軸方向に配列している。軸方向の両端に位置するリブ間の長さは、カードＣａの幅方向の長さＬ２よりも短い。
【０１２４】
巻取り部５８１のリブピッチは、本実施の形態では３．８ｍｍであるが、２ｍｍ〜９ｍｍが好ましい。また、リブ幅は本実施の形態では１．６ｍｍであるが、１ｍｍ〜３ｍｍが好ましい。なぜならば、フィルムセットの製造時は転写フィルム４６の端部を巻取スプール４７に接着するため、接着剤の接着面積が広い方が望ましいのでリブピッチは狭い方が好ましい。また、リブ幅も接着面積が広い方が良いが、成型時に肉厚大によるひけ等の問題が発生しないようにリブ幅は1〜3ｍｍが好ましい。
【０１２５】
巻取り部５８１は、巻取部の軸方向の端部で小径部４８５よりも大径である。巻取り部５８１の軸方向の長さＬ１は、カードＣａの幅方向の長さＬ２よりも短い（Ｌ１＜Ｌ２）。本実施の形態では、転写フィルム４６の幅方向の長さＬ３は６０ｍｍであり、カードＣａの幅方向の長さＬ２は５３．９８ｍｍであり、巻取り部５８１の軸方向の長さＬ１は３０ｍｍである。また、小径部４８５の径φＤ３は、２２ｍｍである。
【０１２６】
巻取り部５８１は、撓んだ転写フィルム４６の幅方向の端部が、小径部４８５に接触しない突出量で小径部４８５より突出している。
【０１２７】
なお、本実施の形態における、巻取り部５８１の外径φＤ４と小径部４８５の外径φＤ３との段差ΔＤ（ΔＤ＝（φＤ４−φＤ３）／２）を設定する条件は、上記実施の形態１と同様であるので、その説明を省略する。また、本実施の形態に係る画像形成装置の巻取スプール１４８の動作は上記の巻取スプール４７の動作と同一動作であるので、その説明を省略する。
【０１２８】
（実施の形態３）
本発明の実施の形態３に係る画像形成装置は図１から図３と同一構成であるので、その説明を省略する。また、本実施の形態に係る画像形成装置の再転写フィルムセットは巻取スプール４７に代えて巻取スプール２４８を設ける以外は図４と同一構成であるので、巻取スプール２４８以外の部分の説明を省略する。
【０１２９】
＜巻取スプールの構成＞
本発明の実施の形態３に係る画像形成装置の巻取スプール２４８の構成について、図１３を参照しながら、詳細に説明する。
【０１３０】
なお、図１３において、図５から図８と同一構成である部分については同一符号を付して、その説明を省略する。
【０１３１】
巻取スプール２４８に対する転写フィルム４６とカードＣａの位置関係を記載する図１３に示すように、巻取スプール２４８は、嵌合部４８２と、大フランジ部４８３と、嵌合部４８２と大フランジ部４８３とを連結する連結部６８２と、連結部６８２の両端に溝状の凹部６８３と、を備えている。連結部６８２及び２箇所の凹部６８３によって、転写フィルム４６を巻き取る巻取り領域（図１３参照）を構成している。なお、巻取スプール２４８は、小フランジ部６８４及び小フランジ部６８５を有している。
【０１３２】
連結部６８２は、巻取部の回転軸Ｐと平行な軸方向（図１３において左右方向）の転写フィルム４６が巻き取られる巻取り領域の中央部に設けられている。連結部６８２は、軸方向において同一径φＤ６の円筒形状を有している。本実施形態の外径φＤ６は、３０ｍｍである。
【０１３３】
連結部６８２は、巻取り領域の軸方向の両端部の凹部６８３よりも大径である。連結部６８２の軸方向の長さＬ１は、カードＣａの搬送方向に直交する幅方向の長さＬ２よりも短い（Ｌ１＜Ｌ２）。転写フィルム４６の幅方向の長さＬ３は６０ｍｍであり、カードＣａの幅方向の長さＬ２は５３．９８ｍｍであり、連結部６８２の軸方向の長さＬ１は、Ｌ２（５３．９８ｍｍ）よりも短く、３０ｍｍである。なお、本実施の形態においては、上記の寸法に限定されるものではなく、Ｌ１＜Ｌ２を満足すれば良いので、上記の寸法は転写フィルム４６の厚さ又は幅等に応じて変化する。
【０１３４】
溝状の凹部６８３は、撓んだ転写フィルム４６の幅方向の端部が接触しない幅と深さとを有している。
【０１３５】
溝状の凹部６８３は、軸方向において同一径φＤ５の円筒形状を有している。本実施形態の外径φＤ５は、２２ｍｍである。
【０１３６】
なお、本実施の形態における、連結部６８２の外径φＤ６と凹部６８３の外径φＤ５との段差ΔＤ（ΔＤ＝（φＤ６−φＤ５）／２）を設定する条件は、上記実施の形態１と同様であるので、その説明を省略する。また、本実施の形態に係る画像形成装置の巻取スプール２４８の動作は上記の巻取スプール４７の動作と同一動作であるので、その説明を省略する。
【０１３７】
本実施の形態では、巻取部の巻き取る転写フィルム４６の回転軸と平行な軸方向の端部と対向する位置に、外周に沿って溝状の凹部６８３を備える。これにより、転写フィルム４６上の残インク９００に起因する転写フィルム４６の寄りを、簡易な構成でコストを増大させることなく防ぐことができる。
【０１３８】
本発明は上記実施の形態に限定されるものではなく、その要旨を逸脱しない範囲で種々変形可能であることは言うまでもない。
【０１３９】
本発明は、残インクがフィルムに浸透せずに、残インクが有る箇所と無い箇所ではフィルムの巻取り径の厚みが変化する場合に有効な発明である。このため、染料インクより顔料インクを使用する再転写フィルムの巻取りスプールに本実施形態のスプール形状が有効である。しかし、本発明は顔料インク用の転写フィルムに限定されるものではなく、転写フィルム面上の付着物の存在によりフィルム寄りが発生する際に有効であることは言うまでもない。
【０１４０】
本発明は代表的な実施形態で詳述される一方、本発明は、必ずしもこれら代表的な実施形態に限定されるものではない。下記請求項の範囲は、すべての変形、同等の構造及び機能を含む、もっとも広い解釈によるものとする。
【０１４１】
本願は、２０１９年６月１３日提出の日本国特許出願特願２０１９−１１０６８６を基礎として優先権を主張するものであり、その記載内容の全てをここに援用する。
【図１】
2020250955.tif 000003
【図２】
2020250955.tif 000004
【図３】
2020250955.tif 000005
【図４】
2020250955.tif 000006
【図５】
2020250955.tif 000007
【図６】
2020250955.tif 000008
【図７】
2020250955.tif 000009
【図８】
2020250955.tif 000010
【図９】
2020250955.tif 000011
【図１０】
2020250955.tif 000012
【図１１】
2020250955.tif 000013
【図１２】
2020250955.tif 000014
【図１３】
2020250955.tif 000015
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
インクリボンから転写された画像を担持し、該画像を記録媒体に転写可能な、所定の幅を有する帯状の再転写フィルムと、
前記再転写フィルムを前記幅の方向と直交する方向へ繰り出し可能に巻き取った供給スプールと、
前記供給スプールから繰り出された前記再転写フィルムを、回転軸線を中心に回転して巻き取ることが可能な巻取スプールと、
を含む再転写フィルムセットであって、
前記巻取スプールは、
前記再転写フィルムを支持する第１の外径部であって、第１の外径を有し、前記回転軸線の方向における幅が前記再転写フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部に対して、前記第２の外径部の反対側に配置され、前記第１の外径よりも小さい第３の外径を有する第３の外径部と、
を有し、
前記第１の外径部が支持する前記再転写フィルムを前記巻取スプールに巻きとったとき、前記回転軸線の方向において、前記再転写フィルムの幅の方向における一端部は前記第２の外径部と重なるとともに前記再転写フィルムの幅の方向における他端部は前記第３の外径部と重なる、
ことを特徴とする再転写フィルムセット。
【請求項２】
前記第１の外径部は、前記回転軸線の方向において、前記第１の外径が連続していることを特徴とする請求項１に記載の再転写フィルムセット。
【請求項３】
前記第１の外径部の前記回転軸線の方向における幅は、２０ｍｍ以上４５ｍｍ以下であることを特徴とする請求項１または請求項２に記載の再転写フィルムセット。
【請求項４】
インクリボンから転写された画像を担持し、該画像を記録媒体に転写可能な、所定の幅を有する帯状の再転写フィルムと、
前記再転写フィルムを前記幅の方向と直交する方向へ繰り出し可能に巻き取った供給スプールと、
前記供給スプールから繰り出された前記再転写フィルムを、回転軸線を中心に回転して巻き取ることが可能な巻取スプールと、
を含む再転写フィルムセットであって、
前記巻取スプールは、
前記再転写フィルムを支持する第１の外径部であって、前記回転軸線の方向において複数配列された突部であって第１の外径を有する突部を備え、前記回転軸線の方向において両端に位置する前記突部の間隔が、前記再転写フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部を挟んで前記第２の外径部の反対側に配置され、前記第１の外径よりも小さい第３の外径を有する第３の外径部と、
を有し、
前記第１の外径部が支持する前記再転写フィルムを、前記巻取スプールに巻きとったとき、前記回転軸線の方向において、前記再転写フィルムの幅の方向における一端部は前記第２の外径部と重なるとともに前記再転写フィルムの幅の方向における他端部は前記第３の外径部と重なる、
ことを特徴とする再転写フィルムセット。
【請求項５】
前記突部は、前記回転軸線の方向において、２ｍｍ以上９ｍｍ以下のピッチで配列されていることを特徴とする請求項４に記載の再転写フィルムセット。
【請求項６】
前記突部の前記回転軸線の方向における幅は、１ｍｍ以上３ｍｍ以下であることを特徴とする請求項４または請求項５に記載の再転写フィルムセット。
【請求項７】
前記回転軸線の方向において、両端に位置する前記突部の間隔が、２０ｍｍ以上４５ｍｍ以下であることを特徴とする請求項４乃至請求項６のいずれか１項に記載の再転写フィルムセット。
【請求項８】
前記第１の外径は、２０ｍｍ以上４０ｍｍ以下であることを特徴とする請求項１乃至７のいずれか１項に記載の再転写フィルムセット。
【請求項９】
第２の外径部及び前記第３の外径部は、溝状の凹部であることを特徴とする請求項１乃至請求項８のいずれか１項に記載の再転写フィルムセット。
【請求項１０】
前記第１の外径部の前記回転軸線方向の両端部は、角部が面取りされていることを特徴とする請求項１乃至請求項９のいずれか１項に記載の再転写フィルムセット。
【請求項１１】
前記第１の外径部の前記回転軸線方向の両端部は、角部が曲面であることを特徴とする請求項１乃至請求項９のいずれか１項に記載の再転写フィルムセット。
【請求項１２】
前記回転軸線方向において、前記第１の外径部と前記第２の外径部、及び、前記第１の外径部と前記第３の外径部は、隅部が曲面で接続されることを特徴とする請求項１乃至請求項１１のいずれか１項に記載の再転写フィルムセット。
【請求項１３】
前記回転軸線方向において、前記第１の外径部と前記第２の外径部、及び、前記第１の外径部と前記第３の外径部は、隅部がテーパ形状で接続されることを特徴とする請求項１乃至請求項１１のいずれか１項に記載の再転写フィルムセット。
【請求項１４】
前記第１の外径と前記第２の外径の差、および、前記第１の外径と前記第３の外径の差は、１ｍｍ以上１０ｍｍ以下であることを特徴とする請求項１乃至請求項１３のいずれか１項に記載の再転写フィルムセット。
【請求項１５】
前記巻取スプールは、前記回転軸線方向において、前記第２の外径部の外側と、前記第３の外径部の外側と、にフランジを有することを特徴とする請求項１乃至請求項１４のいずれか１項に記載の再転写フィルムセット。
【請求項１６】
前記供給スプールと前記巻取スプールとは、形状が異なることを特徴とする請求項１乃至請求項１５のいずれか１項に記載の再転写フィルムセット。
【請求項１７】
前記供給スプールは、２つのフランジの間を同一の径の軸で接続した形状であることを特徴とする請求項１６に記載の再転写フィルムセット。
【請求項１８】
請求項１乃至１７のいずれか１項に記載の再転写フィルムセットと、
インクリボンと、
前記再転写フィルムセットから供給される前記再転写フィルムに前記インクリボンからインクを転写して、前記再転写フィルムに画像を形成するインク転写手段と、
前記再転写フィルムに形成された画像を記録媒体に転写する画像転写手段と、
を有し、
前記巻取スプールは、前記画像転写手段により記録媒体に画像を転写した後の前記再転写フィルムを巻き取る、
ことを特徴とする画像形成装置。
【請求項１９】
前記インクリボンのインクは、顔料インクであることを特徴とする請求項１８に記載の画像形成装置。
【請求項２０】
前記再転写フィルムの幅は、画像を転写する前記記録媒体の対応する方向の幅よりも長いことを特徴とする請求項１８または請求項１９に記載の画像形成装置。
【請求項２１】
前記第１の外径部の前記回転軸線方向の幅と、前記記録媒体の前記対応する方向の幅と、の差は、４．５ｍｍ以上であることを特徴とする請求項２０に記載の画像形成装置。
【請求項２２】
前記巻取スプールにおいて、巻き取られた前記再転写フィルムの前記第２の外径部における外径、及び、巻き取られた前記再転写フィルムの前記第３の外径部における外径は、巻き取られた前記再転写フィルムの前記第１の外径部における外径よりも小さいことを特徴とする請求項１８乃至請求項２１のいずれか１項に記載の画像形成装置。
【請求項２３】
前記巻取スプールにおいて、巻き取られた前記再転写フィルムは、前記第２の外径部及び前記第３の外径部と接触しないことを特徴とする請求項１８乃至請求項２２のいずれか１項に記載の画像形成装置。
【請求項２４】
インクリボンから転写された画像を担持し、該画像を記録媒体に転写可能な、所定の幅を有する帯状の再転写フィルムを、回転軸線を中心に回転しながら巻き取る巻取スプールであって、
前記フィルムを支持する第１の外径部であって、第１の外径を有し、前記回転軸線の方向における幅が前記フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部に対して、前記第２の外径部の反対側に配置され、前記第１の外径よりも小さい第３の外径を有する第３の外径部と、
を有し、
前記第１の外径部が支持する前記フィルムを、前記巻取スプールに巻きとったとき、前記回転軸線の方向において、前記フィルムの幅の方向における一端部は前記第２の外径部と重なるとともに前記フィルムの幅の方向における他端部は前記第３の外径部と重なる、
ことを特徴とする巻取りスプール。
【請求項２５】
インクリボンから転写された画像を担持し、該画像を記録媒体に転写可能な、所定の幅を有する帯状の再転写フィルムを、回転軸線を中心に回転しながら巻き取る巻取スプールであって、
前記フィルムを支持する第１の外径部であって、前記回転軸線の方向において複数配列された突部であって第１の外径を有する突部を備え、前記回転軸線の方向において両端に位置する前記突部の間隔が、前記フィルムの幅よりも狭い、第１の外径部と、
前記回転軸線の方向において、前記第１の外径部と異なる位置に配置され、前記第１の外径よりも小さい第２の外径を有する第２の外径部と、
前記回転軸線の方向において、前記第１の外径部を挟んで前記第２の外径部の反対側に配置され、前記第１の外径よりも小さい第３の外径を有する第３の外径部と、
を有し、
前記第１の外径部が支持する前記フィルムを、前記巻取スプールに巻きとったとき、前記回転軸線の方向において、前記フィルムの幅の方向における一端部は前記第２の外径部と重なるとともに前記フィルムの幅の方向における他端部は前記第３の外径部と重なる、
ことを特徴とする巻取りスプール。
【国際調査報告】
2020250955.tif 000016
2020250955.tif 000017
2020250955.tif 000018
2020250955.tif 000019